(57)【特許請求の範囲】
【請求項１】
用紙束を表紙でくるみ製本処理する製本装置において、
前記表紙を載置する表紙外装手段と、
前記表紙が前記用紙束に接する当接位置に前記表紙外装手段を移動させる第１駆動手段と、
前記表紙外装手段に載置された前記表紙を保持する表紙保持部材と、
前記表紙保持部材を作動させる第２駆動手段と、
前記表紙外装手段が前記当接位置またはその近傍に達したことを検知する検知手段と、
前記第１駆動手段、第２駆動手段を制御する制御手段と、を有し、
前記制御手段は、前記表紙外装手段が前記第１駆動手段により前記当接位置またはその近傍に移動する間は、前記第２駆動手段により前記表紙保持部材が前記表紙を保持し、前記検知手段の検知結果、または移動開始からの計時結果に基づき、前記第２駆動手段により前記表紙保持部材による表紙の保持を解除することを特徴とする製本装置。
【請求項２】
前記表紙保持部材は、揺動可能に支持されたアーム部材と該アーム部材の先端部に回転可能に支持されたコロとを有し、前記アーム部材の揺動により前記コロが前記表紙外装手段に載置された前記表紙を押圧することを特徴とする請求項１に記載の製本装置。
【請求項３】
前記表紙保持部材は、前記表紙外装手段に配置された駆動ローラと、該駆動ローラに対して接離可能なコロを有し、前記表紙外装手段に導入される前記表紙を挟持して搬送することを特徴とする請求項１または２に記載の製本装置。
【請求項４】
前記用紙束の背部に糊を塗布する糊塗布手段を有し、糊塗布された前記用紙束の背部に前記表紙を接して貼着することを特徴とする請求項１乃至３の何れか１項に記載の製本装置。
【請求項５】
画像形成手段、用紙搬送手段を有する画像形成装置本体と、前記画像形成装置本体から搬出された用紙を製本する請求項１乃至４の何れか１項に記載の製本装置とを備えて成ることを特徴とする画像形成システム。
【発明の詳細な説明】
【技術分野】
【０００１】
本発明は、用紙束の背部及び表裏面を表紙用紙により覆って冊子を作製する製本装置に関し、特に、複写機、ファクシミリ装置、プリンタ等の画像形成装置に接続されて適用可能な製本装置を備えた画像形成システムに関する。
【背景技術】
【０００２】
製本処理としては、印刷された用紙を集積した一冊の用紙束に対して、ステイプル綴じ製本処理や、糊付け製本処理が知られている。
【０００３】
糊付け製本装置としては、糊吐出ノズルを用いて用紙に糊を吐出する装置、糊収容箱に糊車を設置し該回転する糊車の外周に糊を付着させ糊車の外周を用紙に接触させて接触転写する装置、ノズルよりホットメルト剤（熱融着剤）と加熱圧縮空気の混合体を吐出するホットメルト塗布装置、粘着性を有する糊が予め塗布されたテープを加熱しながら用紙束の背部に貼り付けるテープ貼り装置、等が知られている。
【０００４】
例えば、最近の電子写真方式の画像形成装置は、高速性能、多機能、ネットワーク機能等を有し、大容量給紙装置、大容量スタッカを接続することにより、印刷装置としての用途が拡大している。
【０００５】
画像形成装置を印刷装置として用いる場合には、印刷物を製本する製本装置を接続する事により、印刷から製本までを１台の装置で行うことが可能となる。
【０００６】
特許文献１及び特許文献２に記載の製本装置では、画像形成装置と小型化された糊付け製本装置とを接続した画像形成システムが提案されている。
【特許文献１】特開２００４−２０９８６９号公報
【特許文献２】特開２００４−２０９８７０号公報
【発明の開示】
【発明が解決しようとする課題】
【０００７】
しかしながら、特許文献１及び特許文献２に開示された糊付け製本装置は、表紙外装手段を移動する際に表紙の位置がずれて、用紙束と表紙との相対位置にずれが生じる可能性があった。
【０００８】
本発明は、上記の課題を解消して製本装置を改良し、製本の仕上がり品質を向上させた製本装置、及び該製本装置を備えた画像形成システムを提供することを目的とする。
【課題を解決するための手段】
【０００９】
上記の目的は、本発明の下記の製本装置及び画像形成システムにより解決される。
【００１１】
（１）  本発明の製本装置は、用紙束を表紙でくるみ製本処理する製本装置において、前記表紙を載置する表紙外装手段と、前記表紙が前記用紙束に接する当接位置に前記表紙外装手段を移動させる第１駆動手段と、前記表紙外装手段に載置された前記表紙を保持する表紙保持部材と、前記表紙保持部材を作動させる第２駆動手段と、前記表紙外装手段が前記当接位置またはその近傍に達したことを検知する検知手段と、前記第１駆動手段、第２駆動手段を制御する制御手段と、を有し、前記制御手段は、前記表紙外装手段が前記第１駆動手段により前記当接位置またはその近傍に移動する間は、前記第２駆動手段により前記表紙保持部材が前記表紙を保持し、前記検知手段の検知結果、または移動開始からの計時結果に基づき、前記第２駆動手段により前記表紙保持部材による表紙の保持を解除することを特徴とするものである。
【００１２】
（２）  本発明の製本装置は、（１）において、前記表紙保持部材は、揺動可能に支持されたアーム部材と該アーム部材の先端部に回転可能に支持されたコロとを有し、前記アーム部材の揺動により前記コロが前記表紙外装手段に載置された前記表紙を押圧することを特徴とするものである。
【００１３】
（３）  本発明の製本装置は、（１）または（２）において、前記表紙保持部材は、前記表紙外装手段に配置された駆動ローラと、該駆動ローラに対して接離可能なコロを有し、前記表紙外装手段に導入される前記表紙を挟持して搬送することを特徴とするものである。
【００１４】
（４）  本発明の製本装置は、（１）乃至（３）の何れか１項において、前記用紙束の背部に糊を塗布する糊塗布手段を有し、糊塗布された前記用紙束の背部に前記表紙を接して貼着することを特徴とするものである。
【００１５】
（５）  本発明の画像形成システムは、画像形成手段、用紙搬送手段を有する画像形成装置本体と、前記画像形成装置本体から搬出された用紙を製本する（１）乃至（４）の何れか１項に記載の製本装置とを備えて成ることを特徴とするものである。
【発明の効果】
【００１６】
本発明の製本装置及び画像形成システムにより以下の効果が得られる。
【００１７】
（１）  表紙が用紙束に接する当接位置またはその近傍に、表紙外装手段が移動する間は、表紙保持部材により表紙が保持されるため、表紙外装手段の移動中に生じる表紙の位置ずれを防止する事ができる。さらに、表紙外装手段が表紙と用紙束とが接する当接位置またはその近傍に達すると、表紙の保持を解除するため、その後のくるみ製本処理に支障を来す事がない。
【００１８】
（２）  表紙外装手段が第１駆動手段により表紙が用紙束に接する当接位置またはその近傍に移動する間は、表紙保持部材が表紙を保持し、表紙が用紙束に接する当接位置またはその近傍に達すると、表紙保持部材が表紙の保持を解除するから、表紙外装手段の移動中に表紙の位置がずれる事が防止され、用紙束と表紙の相対位置のずれを防止し、高品質の冊子を作製する事が出来る。
【００１９】
（３）  揺動可能なアーム部材の先端部に支持された回転可能なコロにより、表紙外装手段に載置された表紙を押圧するため、表紙を傷つける事なく確実に保持する事ができる。
【００２０】
（４）  表紙保持部材は、アーム部材の先端部に回転可能に支持されたコロと、表紙外装手段に配置された駆動ローラとにより、表紙外装手段に載置された表紙を押圧して搬送するから、表紙外装手段に導入される表紙は確実に搬送されて所定位置に送られる。したがって、表紙外装手段に揺動可能に配置された表紙保持部材は、表紙外装手段の移動時の表紙保持機能と、表紙搬送機能とを兼ね備えたものであり、機構が簡易化され、かつ、動作が安定する。
【００２１】
（５）  糊付けによりくるみ製本処理されるため、見栄えの良い高品質な冊子を作製出来る。
【００２２】
（６）  本発明の製本装置を備えた画像形成システムにより、画像形成装置本体から搬出された用紙に対して、用紙束と表紙との正確な位置合わせを行い、連続して自動的に製本化処理する事が可能である。
【発明を実施するための最良の形態】
【００２３】
次に、本発明の製本装置、及び製本装置を備えた画像形成システムを図面に基づいて説明する。
【００２４】
［画像形成システム］
図１は画像形成装置Ａ、製本装置Ｂ、排紙装置Ｃを備えた画像形成システムの全体構成図である。図２は画像形成システムの外観斜視図である。
【００２５】
［画像形成装置］
画像形成装置Ａは、回転する像担持体１の周囲に、帯電手段２、像露光手段３、現像手段４、転写手段５Ａ、除電手段５Ｂ、及びクリーニング手段６を配置した画像形成手段を有する。画像形成手段は、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００２６】
用紙収納部７Ａから給紙された用紙Ｓは転写位置へと送られる。転写位置において転写手段５Ａによりトナー像が用紙Ｓ上に転写される。その後に、用紙Ｓは除電手段５Ｂにより裏面の電荷が消去されて像担持体１から分離され、搬送部７Ｂにより搬送され、引き続き定着手段８により加熱定着され、排紙ローラ７Ｃから排出される。
【００２７】
用紙Ｓの両面に画像形成を行う場合には、定着手段８により加熱定着された用紙Ｓを、搬送路切換手段７Ｄにより通常の排紙通路から分岐し、反転搬送部７Ｅにおいてスイッチバックして表裏反転した後、再び画像形成部を通過し、用紙Ｓの裏面に画像を形成し、定着手段８を経て、排紙ローラ７Ｃから装置外に排出される。排紙ローラ７Ｃから排出された用紙Ｓは、製本装置Ｂに送り込まれる。
【００２８】
像担持体１の画像処理後の表面は、クリーニング手段６により表面に残留している現像剤が除去され、次の画像形成に備える。
【００２９】
［製本装置］
図３は、本発明に係る製本装置Ｂの用紙搬送路を示す断面図である。
【００３０】
製本装置Ｂは、用紙導入手段１０、排紙手段２０、用紙束収容手段３０、用紙束搬送手段４０、糊塗布手段５０、表紙供給手段６０、表紙断裁手段７０、表紙外装手段（くるみ製本手段）８０、整合手段９０、冊子排出手段１００、を備えている。これらの各手段は、製本装置本体内のほぼ垂直方向に縦列配置されている。
【００３１】
〈用紙導入手段１０〉
用紙導入手段１０に導入された用紙Ｓは、入口ローラ１１，１２に挟持されて搬送され、搬送路切換手段３１によって排紙手段２０と用紙束収容手段３０の何れかに分岐される。
【００３２】
〈排紙手段２０〉
この用紙搬送が設定されると、搬送路切換手段３１は用紙束搬送手段４０への搬送路を遮断し、排紙手段２０への搬送路を開放する。
【００３３】
排紙手段２０の搬送路を通過する用紙Ｓは、搬送ローラ２１，２２に挟持されて上方に搬送され、排紙ローラ２３によって装置最上部の固定排紙台２４上に排出、収容される。固定排紙台２４上には、画像形成装置Ａから排出された用紙Ｓを直接受容して、最大約２００枚を積載することができる。
【００３４】
〈用紙束収容手段３０〉
搬送路切換手段３１によって用紙搬送方向下流側の図示左方に分岐された用紙Ｓは、搬送ローラ３２，３３，３４，３５，３６に挟持されて用紙束収容手段３０の所定位置に収容され順次積載されて、所定枚数の用紙Ｓから成る用紙束Ｓａが形成される。用紙束収容手段３０は、傾斜配置された用紙載置台３７、移動可能な用紙後端位置決め部材３８、用紙幅方向を位置決めする用紙幅整合部材３９等から構成されている。
【００３５】
〈用紙束搬送手段４０〉
用紙束収容手段３０の用紙載置台３７上に積載された用紙束Ｓａは、図示しない押し出し手段により斜め下方に搬送される。その後、用紙束Ｓａは用紙束搬送手段４０の把持手段４１によって把持され、用紙束Ｓａを把持したまま用紙束Ｓａに糊塗布処理をする面（背部）を下側になるように旋回されて所定位置に停止される。
【００３６】
〈糊塗布手段５０〉
糊塗布手段５０は、糊塗布部材（塗布ローラとも称す）５１、塗布ローラ５１を回転駆動させる回転手段５２と、糊を収容する糊容器５３と、糊容器５３を支持して製本装置Ｂの背面側の初期位置から前面側の糊塗布位置に移動可能な移動体５４と、移動体５４を往復動させる図示しない移動手段と、を備えている。
【００３７】
図４は、用紙束Ｓａへの糊塗布処理を示す製本装置Ｂの断面図、図５は糊塗布手段５０と把持手段４１の斜視図である。
【００３８】
糊塗布手段５０の移動体５４は、把持手段４１により直立状態に保持された用紙束Ｓａの下面長手方向に平行する方向に図示しない駆動手段によって移動される。
【００３９】
移動体５４は製本装置Ｂの背面側の初期位置から移動を開始して、案内部材５５に沿って移動され、製本装置Ｂの前面側の所定位置で停止した後、反転駆動され初期位置に復帰する。
【００４０】
糊塗布駆動手段のモータＭ０及び回転手段５２により、糊Ｎを収容した糊容器５３に浸漬された塗布ローラ５１が回転される。移動体５４の往動、または往復動により、塗布ローラ５１は、直立状態に保持された用紙束Ｓａの下面長手方向に糊Ｎを塗布する。
【００４１】
〈表紙供給手段６０〉
図３に示すように、表紙供給手段６０の給紙皿６１内に収容された表紙Ｋは、給紙手段６２により分離、給送され、搬送ローラ６３，６４，６５に挟持されて、表紙外装手段８０に搬送される。
【００４２】
〈表紙断裁手段７０〉
図６は、表紙断裁手段７０と表紙外装手段８０の断面図である。
【００４３】
表紙供給手段６０の側上方で、後述の表紙外装手段８０の図示右方に表紙断裁手段７０が一体に構成されている。表紙断裁手段７０は表紙Ｋの搬送方向長さを所定長に断裁する。
【００４４】
表紙断裁手段７０は、回転刃７１と固定刃７２とから成るローラカッタユニットである。回転刃７１は固定刃に摺接しながら回転し、表紙Ｋを表紙幅方向に向かって剪断する。剪断された表紙Ｋの屑部は、落下して屑箱７３に収容される。
【００４５】
表紙Ｋの断裁長は、用紙Ｓの進行方向の２枚分の長さに用紙束Ｓａの背部の長さを加えた長さである。画像形成装置Ａの操作部９において、用紙サイズ、用紙枚数、用紙厚さが選択設定されるか、または検出されると、制御手段は表紙Ｋの断裁所定長を設定する。表紙Ｋの断裁前の長さは、用紙最大枚数に対応して予め定められる。
【００４６】
〈表紙外装手段８０〉
表紙供給手段６０の給紙皿６１内に収容された表紙Ｋは、給紙手段６２により分離、給送され、搬送ローラ６３，６４，６５に挟持されて、表紙外装手段８０に導入されたのち、逆方向に搬送されて表紙断裁手段７０に進入する。表紙断裁手段７０において所定の長さに断裁された表紙Ｋは再び表紙外装手段８０に搬送される。
【００４７】
表紙外装手段８０に導入された表紙Ｋは、搬送ローラ６５によって搬送され、ガイド板８７に沿って進行し、駆動回転する搬送ローラ８１と従動ローラ８８３との挟持位置を通過し、更に、駆動回転する搬送ローラ８２と従動ローラ８８３との挟持位置を通過する。
【００４８】
第２駆動手段のモータＭ２Ａは、ベルト、ギア列から成る駆動伝達系Ｚ１を介して表紙保持部材８８を揺動駆動する。第２駆動手段のモータＭ２Ｂは、ベルト、ギア列から成る駆動伝達系Ｚ２を介して表紙保持部材８９を揺動駆動する。
【００４９】
表紙保持部材８８は、駆動伝達系Ｚ１の最終歯車に接続して回転可能な回転軸８８１と、回転軸８８１に固定されて揺動可能なレバー８８２と、レバー８８２の一端に回転可能に支持されたコロとしての従動ローラ８８３とから成る。
【００５０】
表紙保持部材８９は、駆動伝達系Ｚ２の最終歯車に接続して回転可能な回転軸８９１と、回転軸８９１に固定されて揺動可能なレバー８９２と、レバー８９２の一端に回転可能に支持されたコロとしての従動ローラ８９３とから成る。
【００５１】
表紙Ｋが表紙外装手段８０内のガイド板８７に沿って進入する際には、モータＭ２Ａが駆動開始してレバー８８２を揺動して従動ローラ８８３を駆動回転している搬送ローラ８１に圧接する。また、ほぼ同時に、モータＭ２Ｂが駆動開始してレバー８９２を揺動して従動ローラ８９３を駆動回転している搬送ローラ８２に圧接する。
【００５２】
ガイド板８７に沿って進入する表紙Ｋは、搬送方向上流側の搬送ローラ８１と従動ローラ８８３とにより挟持されて搬送され、引き続き搬送方向下流側の搬送ローラ８２と従動ローラ８９３とにより挟持されて搬送されたのち、所定位置に停止される。
【００５３】
図７は、表紙外装手段８０の昇降駆動を示す斜視図である。
【００５４】
表紙外装手段８０の移動筐体８４は、前面側Ｆに配置された２本のベルト８５Ａと、背面側Ｒに配置された２本のベルト８５Ｂとにより支持されている。第１駆動手段のモータＭ１Ａはベルト８５Ａを回動し、移動筐体８４の前面側Ｆを下限位置からくるみ処理する上限位置まで昇降駆動する。第１駆動手段のモータＭ１Ｂはベルト８５Ｂを回動し、移動筐体８４の背面側Ｒを下限位置からくるみ処理する上限位置まで昇降駆動する。移動筐体８４の前面側Ｆと背面側Ｒとを別個に昇降駆動する事により、移動筐体８４に配置された加圧部材８３を、くるみ処理する位置において、固定位置に停止している把持手段４１に把持された用紙束Ｓａの背部の地部側Ｌ、天部側Ｕに均一に圧接させることができる。
【００５５】
図８は、表紙外装手段８０の上限位置直前を示す断面図である。
【００５６】
表紙外装手段８０が第１駆動手段により表紙Ｋが用紙束Ｓａに接する当接位置、またはその近傍に移動する間は、第２駆動手段のモータＭ２Ａ，Ｍ２Ｂにより表紙保持部材８８，８９を揺動させて表紙Ｋを押圧して保持する。これにより、表紙外装手段８０の移動中に表紙Ｋの位置がずれる事が防止され、用紙束Ｓａの糊塗布処理面に正確に貼着される。
【００５７】
図９は、表紙外装手段８０の上限位置を示す断面図である。
【００５８】
表紙Ｋが用紙束Ｓａに接する当接位置またはその近傍に表紙外装手段が達した事を検知手段ＰＳにより検知されると、モータＭ２Ａ，Ｍ２Ｂにより表紙保持部材８８，８９による表紙保持を解除する。
【００５９】
〈用紙束への糊塗布〉
図１０（ａ）は、表紙外装手段８０の移動筐体８４上に載置された表紙Ｋと、表紙Ｋの中央部に直立して貼着された用紙束Ｓａとを示す斜視図である。図１０（ｂ）は、用紙束Ｓａと表紙Ｋとから成る冊子Ｓｂの斜視図である。
【００６０】
これらの図において、Ｆは表紙外装手段８０の前面側、Ｒは背面側を示す。またＵは用紙束Ｓａ、冊子Ｓｂを直立させたときの上面側を表す天部側、Ｌは用紙束Ｓａ、冊子Ｓｂの底面側を表す地部側を示す。
【００６１】
〈表紙の折り曲げ〉
図１１は、表紙Ｋの折り曲げを示す表紙外装手段８０と用紙束Ｓａの断面図であり、図１１（ａ）は表紙折り曲げ開始時、図１１（ｂ）は表紙折り曲げ中間時、図１１（ｃ）は表紙折り曲げ終了時、図１１（ｄ）は表紙折り曲げ加圧解除時をそれぞれ示す。
【００６２】
図１２（ａ）は表紙Ｋを貼付した用紙束Ｓａの斜視図、図１２（ｂ）は用紙束Ｓａに表紙Ｋをくるみ折りして作製された冊子Ｓｂの斜視図である。
【００６３】
糊Ｎを貼着した用紙束Ｓａに表紙Ｋを接着したのち、図８に示す表紙外装手段８０の上昇状態において、一対の折曲部材８６が図示しない駆動手段によって駆動される。用紙束Ｓａを把持した把持部材４１が下降する。用紙束Ｓａが下降する事により、表紙Ｋは一対の折曲部材８６に挟持されて下降し、用紙束Ｓａの糊塗布面の側縁部から湾曲される（図１１（ｂ）参照）。
【００６４】
その後、一対の折曲部材８６は、用紙束Ｓａの糊塗布面側へ向かって水平方向に移動して用紙束Ｓａの両側面を圧迫して整形して、冊子Ｓｂを形成する。
【００６５】
〈冊子の排出〉
図１３は、用紙束Ｓａと表紙Ｋから成る冊子Ｓｂの排出工程を示す正面図である。
【００６６】
表紙Ｋの折り曲げ工程の終了後、ベルト８５Ａ，８５Ｂの下降駆動によって表紙外装手段８０が下降して待避した後、表紙支持部材１０６が揺動して表紙Ｋの一部を持ち上げる（図１３（ａ）参照）。
【００６７】
図示しない駆動手段により排出ベルト１０１の回動が開始され、表紙Ｋを接着した用紙束Ｓａが下降する事によって、その下端部が排出ベルト１０１に当接して排出ベルト１０１により搬送方向に摺動される（図１３（ｂ）参照）。
【００６８】
表紙Ｋを用紙束Ｓａに接着した冊子Ｓｂは、回動する排出ベルト１０１の面上に載置されて搬送され、装置外に排出される（図１３（ｃ）参照）。
【００６９】
〈冊子排出手段１００〉
糊塗布された用紙束Ｓａの背部（小口の反対側）に表紙Ｋが貼付されて表表紙と裏表紙とを形成した冊子Ｓｂは、冊子排出手段１００の排出ベルト１０１により排出開口１０２から装置外の排紙装置Ｃに排出される。
【００７０】
〈排紙装置Ｃ〉
排出ベルト１０１により排出された冊子Ｓｂは、図１に示す排紙装置Ｃの昇降排紙台１０３上に載置され順次積載される。昇降排紙台１０３上に冊子Ｓｂが排出、積載されると、昇降排紙台１０３は回動するワイヤ１０４によって順次下降する。昇降排紙台１０３が下死点に到達すると、冊子Ｓｂは搬送ベルト１０５に受け渡され、搬送ベルト１０５の回動により装置外に排出される。
【００７１】
なお、本発明の製本装置Ｂを独立した装置に形成し、他の画像形成装置により処理された用紙束Ｓａを用紙束収容手段３０に積載したのち、糊塗布処理と表紙外装処理とを行い、くるみ製本を作製することも可能である。
【図面の簡単な説明】
【００７２】
【図１】画像形成装置、製本装置、排紙装置を備えた画像形成システムの全体構成図。
【図２】画像形成システムの外観斜視図。
【図３】本発明に係る製本装置の用紙搬送路を示す断面図。
【図４】用紙束への糊塗布処理を示す製本装置の断面図。
【図５】糊塗布手段と把持手段の斜視図。
【図６】表紙断裁手段と表紙外装手段の断面図。
【図７】表紙外装手段の昇降駆動を示す斜視図。
【図８】表紙外装手段の上限位置直前を示す断面図。
【図９】表紙外装手段の上限位置を示す断面図。
【図１０】表紙外装手段の移動筐体上に載置された表紙と、表紙の中央部に直立して貼着された用紙束とを示す斜視図、及び用紙束と表紙とから成る冊子の斜視図。
【図１１】表紙の折り曲げを示す表紙外装手段と用紙束の断面図。
【図１２】表紙を貼付した用紙束の斜視図、及び用紙束に表紙をくるみ折りして作製される冊子の斜視図。
【図１３】用紙束と表紙から成る冊子の排出工程を示す正面図。
【符号の説明】
【００７３】
１０  用紙導入手段
３０  用紙束収容手段
４０  用紙束搬送手段
４１  把持手段
５０  糊塗布手段
６０  表紙供給手段
７０  表紙断裁手段
８０  表紙外装手段（くるみ製本手段）
８１，８２  搬送ローラ
８４  移動筐体
８５Ａ，８５Ｂ  ベルト
８６  折曲部材
８７  ガイド板
８８，８９  表紙保持部材
８８１，８９１  回転軸
８８２，８９２  レバー
８８３，８９３  従動ローラ
９０  整合手段
１００  冊子排出手段
１０１  排出ベルト
Ａ  画像形成装置
Ｂ  製本装置
Ｋ  表紙
Ｍ０，Ｍ１Ａ，Ｍ１Ｂ，Ｍ２Ａ，Ｍ２Ｂ  モータ
ＰＳ  検知手段
Ｓａ  用紙束
Ｓｂ  冊子
【図１】
0004640030.tif 000002
【図２】
0004640030.tif 000003
【図３】
0004640030.tif 000004
【図４】
0004640030.tif 000005
【図５】
0004640030.tif 000006
【図６】
0004640030.tif 000007
【図７】
0004640030.tif 000008
【図８】
0004640030.tif 000009
【図９】
0004640030.tif 000010
【図１０】
0004640030.tif 000011
【図１１】
0004640030.tif 000012
【図１２】
0004640030.tif 000013
【図１３】
0004640030.tif 000014